(57)【要約】      （修正有）【課題】メールサーバの改変を加えずに、変更後のメールアドレスを自動的に通知できるようにすること。【解決手段】携帯端末装置１０Ａにおいて、知人ごとに電話番号及びメールアドレスを蓄積する記憶部１６と、送信側のときに、変更後メールアドレス及び変更前メールアドレスを含む経過表示メッセージを生成する処理を行うとともに、記憶部１６に蓄積された電話番号に係る携帯端末装置に経過表示メッセージを送信する処理を行い、受信側のときに、経過表示メッセージを受信することにより、経過表示メッセージに含まれた変更前メールアドレスに基づいて、記憶部１６において対応するメールアドレスが存在するか否かを確認する処理を行うとともに、対応するメールアドレスが存在する場合に記憶部１６中の対応するメールアドレスを変更後メールアドレスに変更する処理を行う制御部１７と、を備えることを特徴とする。【選択図】図１
2006221261.tif 000002
【特許請求の範囲】
【請求項１】
知人ごとに少なくとも電話番号及びメールアドレスを蓄積する記憶部と、
送信側のときに、変更後メールアドレスを含むアドレス変更通知メールを生成する処理を行うとともに、前記記憶部に蓄積された前記電話番号に係る携帯端末装置に前記アドレス変更通知メールを送信する処理を行う制御部と、
を備えることを特徴とする携帯端末装置。
【請求項２】
前記アドレス変更通知メールは、回線交換用メッセージとして用いられる経過表示メッセージよりなることを特徴とする請求項１記載の携帯端末装置。
【請求項３】
知人ごとに少なくともメールアドレスを蓄積する記憶部と、
変更後メールアドレスを含むアドレス変更通知メールを生成する処理を行うとともに、前記記憶部に蓄積された前記メールアドレスに係る携帯端末装置に前記アドレス変更通知メールを送信する処理を行う制御部と、
を備えることを特徴とする携帯端末装置。
【請求項４】
前記アドレス変更通知メールは、変更前メールアドレスを含み、
前記制御部は、受信側のときに、前記アドレス変更通知メールを受信することにより、前記アドレス変更通知メールに含まれた変更前メールアドレスに基づいて、前記記憶部において対応するメールアドレスが存在するか否かを確認する処理を行うとともに、対応するメールアドレスが存在する場合に前記記憶部中の対応するメールアドレスを前記変更後メールアドレスに変更する処理を行うことを特徴とする請求項１乃至３のいずれか一に記載の携帯端末装置。
【請求項５】
前記制御部は、対応するメールアドレスが存在しない場合に前記記憶部に前記変更後メールアドレスを蓄積する処理を行うことを特徴とする請求項４記載の携帯端末装置。
【請求項６】
送信側のときに、変更後メールアドレス及び変更前メールアドレスを含むアドレス変更通知メールを生成するステップと、
送信側のときに、記憶部に蓄積された知人の電話番号又はメールアドレスに係る携帯端末装置に前記アドレス変更通知メールを送信するステップと、
受信側のときに、前記アドレス変更通知メールを受信することにより、前記アドレス変更通知メールに含まれた変更前メールアドレスに基づいて、記憶部において対応するメールアドレスが存在するか否かを確認するステップと、
受信側のときに、対応するメールアドレスが存在する場合に記憶部中の対応するメールアドレスを前記変更後メールアドレスに変更するステップと、
を実行させることを特徴とする携帯端末装置のプログラム。
【請求項７】
前記アドレス変更通知メールは、回線交換用メッセージとして用いられる経過表示メッセージよりなることを特徴とする請求項６記載の携帯端末装置のプログラム。
【請求項８】
受信側のときに、対応するメールアドレスが存在しない場合に記憶部に前記変更後メールアドレスを蓄積するステップを実行させることを特徴とする請求項６又は７記載の携帯端末装置のプログラム。
【発明の詳細な説明】
【技術分野】
【０００１】
本発明は、携帯電話機等のメール機能を有する携帯端末装置及びプログラムに関し、特に、変更後のメールアドレスを自動的に通知する機能を有する携帯端末装置及びプログラムに関する。
【背景技術】
【０００２】
携帯電話機等のメール機能を有する携帯端末装置においては、迷惑メールを回避するために、メールアドレスの変更が頻繁に行われている。ユーザは、変更毎に、メールアドレスの変更を電話、メール等で通知しなければならず、不便になっている。
【０００３】
このような問題を解決するために、送信元の携帯電話と、メールサーバと受信先端末（携帯電話、受信先のパソコン）を携帯電話網及びインターネットに接続し、送信元の携帯電話から送信元アドレスの変更要求がなされたとき、予め送信元の携帯電話を用いて登録している受信先リストのアドレスに対して送信元で変更した送信元アドレスを希望の受信側の携帯電話に自動通知する電子メールアドレス変更通知機能付きメールサーバが開示されている（特許文献１参照）
【０００４】
【特許文献１】特開２００４−１２０３７１号公報
【発明の開示】
【発明が解決しようとする課題】
【０００５】
しかしながら、特許文献１に記載の発明では、電子メールアドレス変更通知機能がメールサーバに備えられているため、サービス提供者の管理負担や、ユーザの金銭的負担が増大するおそれがある。また、メールサーバ側で受信先リストのアドレスを管理しているため、受信先リストのアドレスの安全性が損なわれるおそれがある。
【０００６】
本発明の課題は、メールサーバの改変を加えずに、変更後のメールアドレスを自動的に通知できるようにすることである。
【課題を解決するための手段】
【０００７】
本発明の第１の視点においては、携帯端末装置において、知人ごとに少なくとも電話番号及びメールアドレスを蓄積する記憶部と、送信側のときに、変更後メールアドレスを含むアドレス変更通知メールを生成する処理を行うとともに、前記記憶部に蓄積された前記電話番号に係る携帯端末装置に前記アドレス変更通知メールを送信する処理を行う制御部と、を備えることを特徴とする。
【０００８】
本発明の前記携帯端末装置において、前記アドレス変更通知メールは、回線交換用メッセージとして用いられる経過表示メッセージよりなることが好ましい。
【０００９】
本発明の第２の視点においては、携帯端末装置において、知人ごとに少なくともメールアドレスを蓄積する記憶部と、変更後メールアドレスを含むアドレス変更通知メールを生成する処理を行うとともに、前記記憶部に蓄積された前記メールアドレスに係る携帯端末装置に前記アドレス変更通知メールを送信する処理を行う制御部と、を備えることを特徴とする。
【００１０】
本発明の前記携帯端末装置において、前記アドレス変更通知メールは、変更前メールアドレスを含み、前記制御部は、受信側のときに、前記アドレス変更通知メールを受信することにより、前記アドレス変更通知メールに含まれた変更前メールアドレスに基づいて、前記記憶部において対応するメールアドレスが存在するか否かを確認する処理を行うとともに、対応するメールアドレスが存在する場合に前記記憶部中の対応するメールアドレスを前記変更後メールアドレスに変更する処理を行うことが好ましい。
【００１１】
本発明の前記携帯端末装置において、前記制御部は、対応するメールアドレスが存在しない場合に前記記憶部に前記変更後メールアドレスを蓄積する処理を行うことが好ましい。
【００１２】
本発明の第３の視点においては、携帯端末装置のプログラムにおいて、送信側のときに、変更後メールアドレス及び変更前メールアドレスを含むアドレス変更通知メールを生成するステップと、送信側のときに、記憶部に蓄積された知人の電話番号又はメールアドレスに係る携帯端末装置に前記アドレス変更通知メールを送信するステップと、受信側のときに、前記アドレス変更通知メールを受信することにより、前記アドレス変更通知メールに含まれた変更前メールアドレスに基づいて、記憶部において対応するメールアドレスが存在するか否かを確認するステップと、受信側のときに、対応するメールアドレスが存在する場合に記憶部中の対応するメールアドレスを前記変更後メールアドレスに変更するステップと、を実行させることを特徴とする。
【発明の効果】
【００１３】
本発明（請求項１−８）によれば、送信側の携帯端末装置であるときに、メールアドレスの変更に係る通知を自動的に送信することができ、ユーザの利便性が向上する。また、既存のメールサーバをそのまま用いることができ、携帯端末装置のソフト変更のみですむ。
【００１４】
本発明（請求項４−８）によれば、受信側の携帯端末装置であるときに、通知を受け取ることで変更前のメールアドレスから変更後のメールアドレスへ自動的に変更（更新）することができる。
【００１５】
本発明（請求項２、８）によれば、経過表示メッセージを用いることにより、課金されずに通知することができる。
【発明を実施するための最良の形態】
【００１６】
（実施形態１）
本発明の実施形態１に係る携帯端末装置について図面を用いて説明する。図１は、本発明の実施形態１に係る携帯端末装置を含むシステムの構成を模式的に示したブロック図である。
【００１７】
図１を参照すると、携帯端末装置１０Ａは、メールアドレスの変更の通知を送信する側の携帯端末装置であり、通信部１１と、データ受信部１２と、データ送信部１３と、表示制御部１４と、表示部１５と、記憶部１６と、制御部１７と、を有する。通信部１１は、ネットワーク２０と無線通信を行う部分である。データ受信部１２は、受信したデータを解析する部分である。データ送信部１３は、送信するためのデータに変換する部分である。表示制御部１４は、表示部１５に表示するデータを制御する部分である。表示部１５は、ＬＣＤなどの表示装置である。記憶部１６は、所定の情報、プログラム等を記憶する部分であり、アドレス蓄積部１６ａと、臨時情報蓄積部１６ｂと、プログラム蓄積部１６ｃと、を有する。アドレス蓄積部１６ａは、知人ごとにメールアドレス、電話番号等を蓄積する部分である。臨時情報蓄積部１６ｂは、臨時情報を蓄積する部分である。プログラム蓄積部１６ｃは、制御部１７を動作させるプログラムを蓄積する部分である。制御部１７は、プログラム蓄積部１６ｃに蓄積されたプログラムに基づいて、各構成部１１〜１６の制御を行う。
【００１８】
携帯端末装置１０Ｂは、メールアドレスの変更の通知を受信する側の携帯端末装置であり、携帯端末装置１０Ａと同様な構成である。ネットワーク２０は、無線基地局、回線網などよりなる。メールサーバ３０は、携帯端末装置１０Ａのメールアドレスを管理するサーバであり、ネットワーク２０と接続する。
【００１９】
次に、送信側の携帯端末装置１０Ａの動作について図面を用いて説明する。図２は、本発明の実施形態１に係る（送信側の）携帯端末装置の動作を模式的に示したフローチャートである。携帯端末装置１０Ａは、メールサーバ（図１の３０）と通信し、携帯端末装置１０Ａに係るメールアドレスの変更を行った後、以下のような動作を行う。
【００２０】
まず、携帯端末装置１０Ａは、低電圧であるか否かをチェックする（ステップＡ１）。
【００２１】
低電圧でない場合（ステップＡ１のＮＯ）、携帯端末装置１０Ａは、変更前メールアドレス及び変更後メールアドレスを含む経過表示メッセージ（アドレス変更通知メール）を生成する（ステップＡ２）。ここで、アドレス変更通知メールは、メールアドレスの変更を通知するためのメールである。経過表示メッセージは、回線交換用メッセージ（呼設定、呼出、切断、開放、開放完了、経過表示、ユーザ情報メッセージ）の１つであり、例えば、Ｑ９３１で規定されている各種メッセージが挙げられる。また、変更前メールアドレスは、携帯端末装置１０Ａに係る変更前のメールアドレスである。また、変更後メールアドレスは、携帯端末装置１０Ａに係る変更後のメールアドレスである。さらに、経過表示メーセージにおいて、変更前メールアドレス及び変更後メールアドレスは、経過表示メーセージの要素である固定シフトエリアに設定されることになる。
【００２２】
次に、携帯端末装置１０Ａは、アドレス蓄積部１６ａに蓄積された（携帯端末装置１０Ｂに係る）電話番号に基づいて、携帯端末装置１０Ｂと接続し、経過表示メッセージ（変更前メールアドレス及び変更後メールアドレスを含む）を携帯端末装置１０Ｂに送信し、携帯端末装置１０Ｂとの接続を切断する（ステップＡ３）。ここで、携帯端末装置１０Ａと携帯端末装置１０Ｂとの通信において、携帯端末装置１０Ａは、ネットワーク２０（回線網）を介して、通信チャンネルの接続を行うために呼設定、呼設定受付、認証要求、認証応答を行い、その後、経過表示メッセージを携帯端末装置１０Ｂに送信し、その後、通信チャンネルの切断を行うために呼開放、呼開放受付、切断を行う（図４参照）。
【００２３】
次に、携帯端末装置１０Ａは、アドレス蓄積部１６ａに蓄積された電話番号の中に経過表示メッセージを送信していない（受信側の）携帯端末装置に係る電話番号が存在するか否かを確認する（ステップＡ４）。存在する場合（ステップＡ４のＹＥＳ）、ステップＡ１に進む。存在しない場合（ステップＡ４のＮＯ）、処理を終了する。
【００２４】
低電圧の場合（ステップＡ１のＹＥＳ）、変更後メールアドレスを保存して（ステップＡ５）、処理を終了する。
【００２５】
次に、受信側の携帯端末装置１０Ｂの動作について図面を用いて説明する。図３は、本発明の実施形態１に係る（受信側の）携帯端末装置の動作を模式的に示したフローチャートである。
【００２６】
まず、携帯端末装置１０Ｂは、経過表示メッセージ（変更前メールアドレス及び変更後メールアドレスを含む）を受信することにより、経過表示メッセージであることを検出し、当該経過表示メッセージを表示する（ステップＢ１）。
【００２７】
次に、携帯端末装置１０Ｂは、経過表示メッセージに含まれる変更前メールアドレスに基づいて、対応するメールアドレスが存在するか否かアドレス蓄積部（図１の１６ａに相当）を検索する（ステップＢ２）。
【００２８】
対応するメールアドレスが存在する場合（ステップＢ２のＹＥＳ）、携帯端末装置１０Ｂは、アドレス蓄積部（図１の１６ａに相当）中の対応するメールアドレスを、経過表示メッセージに含まれた変更後メールアドレスに変更し（ステップＢ３）、処理を終了する。
【００２９】
対応するメールアドレスが存在しない場合（ステップＢ２のＹＥＳ）、臨時情報蓄積部（図１の１６ｂに相当）に、経過表示メッセージに含まれた変更後メールアドレスを登録し（ステップＢ４）、処理を終了する。その後、ユーザ操作により、臨時情報蓄積部（図１の１６ｂに相当）の中身を参照できる。
【００３０】
実施形態１によれば、既存のシステムにおいて、携帯端末装置のソフト変更のみで、メールアドレスの変更を自動的に通知することができる。また、経過表示メッセージを用いることにより、課金されずにメールアドレスの変更を通知することができる。
【００３１】
次に、その他の実施形態について説明する。実施形態１では、変更後メールアドレスを含む経過表示メッセージを生成、送信していたが、変更後メールアドレスを含むメールを生成、送信するようにしてもよい。また、実施形態１における経過表示メッセージでは、変更前メールアドレスを含んでいるが、携帯端末装置１０Ａに係る電話番号を含めてもよい。また、実施形態１では、相手方の電話番号を用いて経過表示メッセージを送信していたが、相手方のメールアドレスを用いてアドレス変更通知用のメールを送信するようにしてもよい。
【図面の簡単な説明】
【００３２】
【図１】本発明の実施形態１に係る携帯端末装置を含むシステムの構成を模式的に示したブロック図である。
【図２】本発明の実施形態１に係る（送信側の）携帯端末装置の動作を模式的に示したフローチャートである。
【図３】本発明の実施形態１に係る（受信側の）携帯端末装置の動作を模式的に示したフローチャートである。
【図４】本発明の実施形態１に係る携帯端末装置を含むシステムの動作を模式的に示したシーケンスチャートである。
【符号の説明】
【００３３】
１０Ａ、１０Ｂ  携帯端末装置
１１  通信部
１２  データ受信部
１３  データ送信部
１４  表示制御部
１５  表示部
１６  記憶部
１６ａ  アドレス蓄積部
１６ｂ  臨時情報蓄積部
１６ｃ  プログラム蓄積部
１７  制御部
２０  ネットワーク
３０  メールサーバ
【図１】
2006221261.tif 000003
【図２】
2006221261.tif 000004
【図３】
2006221261.tif 000005
【図４】
2006221261.tif 000006